(57)【要約】【課題】  ブレーカープレートの摺動力が小さくとも確実に溶融樹脂の漏れを防ぐ機構のスクリーン交換装置を提供する。【解決手段】  溶融樹脂圧力を受ける多孔プレート７により可撓性シールリング８を対向する部材に押し付け自己シールさせて溶融樹脂漏れを防ぐようにした。【選択図】  図１
2005289024.tif 000002
【特許請求の範囲】
【請求項１】
押出機の先端に取り付けられ、押出機から押し出される溶融樹脂のなかに混入している異物を濾過した旧いスクリーンを、ブレーカープレートを摺動させて、新しいスクリーンに交換するスクリーン交換装置において、
前記スクリーン交換装置の溶融樹脂流路内に溶融樹脂圧力を受ける多孔プレートを具備すると共に、該多孔プレートにテーパー部で嵌合している可撓性シールリングを具備することを特徴とするスクリーン交換装置。
【発明の詳細な説明】
【発明の詳細な説明】
【技術分野】
【０００１】  本発明は、押出機の先端に取り付けられ、押出機から押し出される溶融樹脂のなかに混入している異物を濾過した旧いスクリーンを、ブレーカープレートを摺動させて、新しいスクリーンに交換するスクリーン交換装置に関する。
【背景技術】
【０００２】  押出機から押し出される溶融樹脂中に混入している異物を濾過する目的で、押出機の先端にスクリーンを備えたブレーカープレートが設けられているが、スクリーンが目詰まりした場合に、ブレーカープレートを摺動させて新しいスクリーンに交換することは、既に従来から行われている。【０００３】  この種のスクリーン交換装置として、例えば、図３に示すように、本体３１ａに螺合している押しネジ３６でスクリーン３４を備えたブレーカープレート３２を本体３１ｂに押し付けて、押しネジ３６、ブレーカープレート３２および本体３１ｂそれぞれの当接面からの溶融樹脂漏れを防いでいる。
スクリューにより図示しないダイ方向へ押し出される溶融樹脂中の異物でスクリーン３４が目詰まりした場合には、新しいスクリーン３５を備えたブレーカープレート３３を矢印方向に摺動して、旧いブレーカープレート３２と入れ替えて新しいスクリーン３５と交換している。【０００４】  又、別な例として、公開特許公報平１−１０８０１９号に示すように、ボルト１７とナット１８で締め付けつけて本体構成体１５、１６及びブレーカープレート３を締め付けて、本体構成体１５、１６及びブレーカープレート３それぞれの当接面からの溶融樹脂漏れを防いでいる。
前述の図３に示す例と同様に、旧いスクリーン１１が溶融樹脂中の異物で目詰まりした場合には、新しいスクリーン１１を備えたブレーカープレート４を摺動して旧いブレーカープレート３と入れ替えて、新しいスクリーン１１と交換している。
【発明が解決しようとする課題】
【０００５】  しかしながら、上述した図３に示すスクリーン交換装置にあっては、押しネジ３６のブレーカープレート３２及び本体３１ｂに対する押し付け力が小さいと高圧状態にある溶融樹脂は、押しネジ３６、ブレーカープレート３２及び本体３１ｂそれぞれの当接面から漏れだし、又、押し付け力が大きいと溶融樹脂の漏れは発生しないがブレーカープレート３２の摺動力が大きなものとなる。
溶融樹脂の漏れが無くブレーカープレート３２の摺動力も大きなものとならないように押しネジ３６を調整することが難しく、従って、溶融樹脂の漏れが無いように押しネジ３６の押し付け力を大きめに調整せざるを得ないので、ブレーカープレート３２を摺動するのに油圧力等を使用する大掛かりな装置が必要になるという問題点があった。
【０００６】  また、上述した公開特許公報平１−１０８０１９号に示す別なスクリーン交換装置にあっても、ボルト１７及びナット１８の締め付け力の調整次第で、溶融樹脂の漏れ及びブレーカープレート２，３，４の摺動力がきまるので、上記の図３に示す例と同様な問題点があった。
【０００７】  そこで、本発明の目的は、ブレーカープレートの摺動力が小さくとも確実に溶融樹脂の漏れを防ぐ機構のスクリーン交換装置を提供することにある。
【課題を解決するための手段】
【０００８】  上記目的を達成する為の本発明は、押出機の先端に取り付けられ、押出機から押し出される溶融樹脂のなかに混入している異物を濾過した旧いスクリーンを、ブレーカープレートを摺動させて、新しいスクリーンに交換するスクリーン交換装置において、
前記スクリーン交換装置の溶融樹脂流路内に溶融樹脂圧力を受ける多孔プレートを具備すると共に、該多孔プレートにテーパー部で嵌合している可撓性シールリングを具備することを特徴とする。
【０００９】  これにより、ブレーカープレートの摺動力が小さくとも確実に溶融樹脂の漏れを防ぐことができ、装置の小型化及び簡素化ができる。
【発明を実施するための最良の形態】
【００１０】  以下、本発明に係るスクリーン交換装置を実施例により図面を用いて詳細に説明する。【００１１】  ［実施例］
図１は本発明の実施例を示すスクリーン交換装置の断面図、図２は同じく図１のＡ−Ａ線断面図である。【００１２】  図１及び図２に示すように、スクリーン交換装置１は、本体２ａ及び本体２ｂに貫通状態の角穴９が形成されていて、多数の孔が開けられているブレーカープレート３が角穴９の中に摺動可能な状態で緩嵌されており、ブレーカープレート３はスクリーン５を備える共に本体２ｂとシールリング８に当接している。次に使用する新しいスクリーン６を備えたブレーカープレート４が角穴９の図面右側位置に準備されている。
多数の孔が開けられている多孔プレート７が本体２の溶融樹脂流路１２内にあり、多孔プレート７の外周は本体２ａに形成されたインロー穴１０に嵌合されている。
シールリング８は内径側がテーパー１１状で可撓性を有するリング状の形をしており、多孔プレート７とテーパー１１部で嵌合すると共に外周はインロー穴１０内に嵌合されている。【００１３】  押出機で溶融され押し出される高圧の溶融樹脂は多孔プレート７、スクリーン５及びブレーカープレート３を通過し図示しないダイへと流れて行く。
溶融樹脂の圧力で溶融樹脂流の下流方向へ押される多孔プレート７はシールリング８及びブレーカープレート３を本体２ｂに押し付け、多孔プレート７、シールリング８、ブレーカープレート３及び本体２ｂそれぞれの当接面からの樹脂漏れを防いでいる。
また、多孔プレート７は可撓性を有するシールリング８のテーパー１１部を円周方向に広げてシールリング８の外周面をインロー穴１０内面に押し付けてシールリング８の外周部からの樹脂漏れを防いでいる。【００１４】  従って、本実施例では押出機から押し出される溶融樹脂の圧力で多孔プレート７、シールリング８およびブレーカープレート３それぞれの当接面を自動的に自己シールさせ溶融樹脂漏れを防ぐので難しい調整が必要ない。
また、スクリーンを交換する場合はスクリューを停止し、溶融樹脂の流れがなくなり多孔プレート７が下流方向へ押されなくなってからブレーカープレート３及び新しいスクリーン６を備えるブレーカープレート４を矢印方向に摺動するので軽く動かすことができる。【００１５】  図１に示すようなスクリュー径９０ｍｍの本発明に係るスクリーン交換装置と図３に示すような同じスクリュー径９０ｍｍの従来のスクリーン交換装置との、ブレーカープレートの摺動力及び溶融樹脂漏れのテスト結果を表１に示す。【００１６】
【表１】
2005289024.tif 000003
【００１７】  「表１」の結果より、実施例によれば、ブレーカープレートの摺動力が小さくとも溶融樹脂漏れの無いことが判明した。【００１８】  尚、本発明は上記実施例に限定されず、本発明の要旨を逸脱しない範囲で、各種変更が可能であることは言うまでもない。例えばシールリング８を分割してフレヤー部を別部材にしても良い。
【発明の効果】
【００１９】  以上説明した様に本発明によれば、押出機の先端に取り付けられ、押出機から押し出される溶融樹脂のなかに混入している異物を濾過した旧いスクリーンを、ブレーカープレートを摺動させて、新しいスクリーンに交換するスクリーン交換装置において、前記スクリーン交換装置の溶融樹脂流路内に溶融樹脂圧力を受ける多孔プレートを具備すると共に、該多孔プレートにテーパー部で嵌合している可撓性シールリングを具備するので、溶融樹脂圧力を受ける多孔プレートで可撓性シールリング及びブレーカープレートを対向する部材に押し付けて自動的にシールさせて確実に溶融樹脂漏れを防ぐと共に、ブレーカープレートを摺動させる力が小さく、油圧シリンダー等の大掛かりな装置が不要で手動でもブレーカープレートを軽く摺動させることができる。
【図面の簡単な説明】
【図１】本発明の実施例を示すスクリーン交換装置の断面図である。
【図２】同じく図１のＡ−Ａ線断面図である。
【図３】従来のスクリーン交換装置の断面図である。
【符号の説明】
１  スクリーン交換装置
３  ブレーカープレート
４  ブレーカープレート
５  スクリーン
６  スクリーン
７  多孔プレート
８  シールリング
１１  テーパー
１２  溶融樹脂流路
【図１】
2005289024.tif 000004
【図２】
2005289024.tif 000005
【図３】
2005289024.tif 000006